(57)【要約】【課題】穀粒搬出手段を操作する操作手段の簡素化を図るとともに、簡素化を図った操作手段を操縦者に採って操作性の良い配置構成を採ることのできるコンバインの運転部構造を提供する。【解決手段】脱穀穀粒を機外に搬出する穀粒搬出装置を備え、運転座席９の横側方に側方運転操縦パネル部２６を配置する。穀粒搬出装置の作動を制御するスイッチ群を備えた操作具３４を側方運転操縦パネル部２６に着脱自在に設置する。スイッチ群の整列状態を、後方側に位置するスイッチほど運転座席９に近づくように傾斜状態に設定してある。【選択図】図４
2010213605.tif 000002
【特許請求の範囲】
【請求項１】
脱穀穀粒を機外に搬出する穀粒搬出装置を備え、運転座席の横側方に運転操縦パネル部を配置し、前記穀粒搬出装置の作動を制御するスイッチ群を備えた操作具を前記運転操縦パネル部に着脱自在に設置し、前記操作具を前記運転操縦パネルに取り付けた状態での前記スイッチ群の整列状態を、後方側に位置するスイッチほど前記運転座席に近づくように傾斜状態に設定してある作業車の運転部構造。
【請求項２】
前記操作具を、その操作具の後端側ほど前記運転座席に近づくように傾斜状態にして着脱自在に設置してある請求項１記載の作業車の運転部構造。
【請求項３】
前記操作具を前記運転操縦パネル部に形成した載置座に着脱自在に嵌め込み装着してある請求項１又は２記載の作業車の運転部構造。
【請求項４】
前記運転操縦パネル部が前記運転座席側に向けて下向きに傾斜している請求項１〜３のうちのいずれか一項に記載の作業車の運転部構造。
【発明の詳細な説明】
【技術分野】
【０００１】
本発明は、脱穀穀粒を機外に搬出する穀粒搬出装置とその穀粒搬出装置を機体に収納した状態から機外の搬出位置に旋回作動させ、かつ、穀粒の搬出・搬出停止を司る操作具を備えている作業車の運転部構造に関する。
【背景技術】
【０００２】
前記操作具としては、運転操縦部に、昇降を司る十字操作レバー（公報内番号：５６）と穀粒排出クラッチ（公報内番号：ＣＬ）の入切スイッチ（公報内番号：５７）とからなるアンローダ操作手段（公報内番号：Ａ）を備え、かつ、横スクリューコンベアとしての横オーガ（公報内番号：１２）の先端に、アンローダ操作手段と同等の機能を備えた着脱可能な有線式のリモートコントロール装置（公報内番号：４２）とを備えてあった。
【０００３】
機体に収納された穀粒搬出装置の横オーガを畦等に位置する運搬車の位置まで旋回作動させる場合には、運転操縦部に設けてあるアンローダ手段を利用して操作を行う。横オーガの吐き出し口を正確に運搬車の荷台に位置合わせする場合には、横オーガの先端に設けたリモコン装置で操作を行うように構成してある（例えば、特許文献１参照。）。
【先行技術文献】
【特許文献】
【０００４】
【特許文献１】特許第３４１５０２８号公報（段落番号〔００２７〕、及び、図１０）。
【発明の概要】
【発明が解決しようとする課題】
【０００５】
上記した操作具としては、運転操縦部に固定式のアンローダ操作手段と横オーガの先端に移動可能なリモコン装置を配置する必要があるので、操作具として機能の同じものが二箇所に必要となり、機器構成が重複する面があるとともに、リモコン装置を操作する場合に、運転操縦部に設けてあるアンローダ操作手段の機能を停止する等の相互干渉防止手段を講ずる必要がある。
【０００６】
本発明は、穀粒搬出装置を操作する操作手段の簡素化を図るとともに、簡素化を図った操作手段を運転操縦者にとって操作性の良い配置構成を採ることのできる作業車の運転部構造を提供する点にある。
【課題を解決するための手段】
【０００７】
〔構成〕
請求項１に係る本願発明の特徴構成は、脱穀穀粒を機外に搬出する穀粒搬出装置を備え、運転座席の横側方に運転操縦パネル部を配置し、前記穀粒搬出装置の作動を制御するスイッチ群を備えた操作具を前記運転操縦パネル部に着脱自在に設置し、前記操作具を前記運転操縦パネルに取り付けた状態での前記スイッチ群の整列状態を、後方側に位置するスイッチほど前記運転座席に近づくように傾斜状態に設定してある点にあり、その作用効果は次の通りである。
【０００８】
〔作用〕
つまり、運転座席の横側方に配置した運転操縦パネル部に穀粒搬出装置を操作する操作具を設け、この操作具を着脱自在なものとした。このような構成によって、畦等に位置する運搬車に穀粒搬出装置の吐き出し口を移動させる場合には、運転操縦者は運転操縦パネル部に取り付けた操作具を操作することができる。
また、穀粒搬出装置の吐き出し口を正確に位置させる場合には、操作具を取り外して、穀粒搬出装置の吐き出し口に近寄って、操作を行うことができる。
しかも、運転操縦パネル部に操作具を装着した状態で、その操作具に備えてあるスイッチ群の整列状態が、後方側に位置するスイッチほど前記運転座席に近づくように傾斜状態に設定してあるところから、運転座席に着座した運転操縦者が少し顔を横側方に向けた状態で、スイッチ群の整列方向が運転操縦者を中心にした状態に整列されているように視認できるところから、スイッチ群の識別が容易に行え、操作性がよくなっている。
【０００９】
〔効果〕
操作具を運転座席近くに取り付けて固定の操作手段として使用でき、取り外して移動式の操作手段としても使用することができるから、操作手段としての簡素化を図ることができるとともに、固定式と移動式との二つの操作手段を設ける場合のように相互干渉を回避する制御構成を採る必要もない。
しかも、操作具を運転操縦パネル部に取り付けた状態で、スイッチ群を視認しやすい状態に配置してあるので、スイッチを認識しやすく、操作も容易な作業車の運転部構造を提供できるに至った。
【００１０】
〔構成〕
請求項２に係る本願発明の特徴構成は、前記操作具を、その操作具の後端側ほど前記運転座席に近づくように傾斜状態にして着脱自在に設置してある点にあり、その作用効果は次の通りである。
【００１１】
〔作用効果〕
操作具自体が、その操作具の後端側ほど前記運転座席に近づくように傾斜状態にして着脱自在に設置してあるので、操作具を取り外して使用する場合にも、運転操縦者が操作具を掴んで取り外しやすく、運転操縦パネル部の所定位置に取り付け取り外す操作が容易である。
【００１２】
〔構成〕
請求項３に係る本願発明の特徴構成は、前記操作具を前記運転操縦パネル部に形成した凹入載置座に着脱自在に嵌め込み装着してある点にあり、その作用効果は次の通りである。
【００１３】
〔作用効果〕
前記操作具を前記運転操縦パネル部に形成した載置座に着脱自在に嵌め込み装着してあるので、操作具を載置座に取り付けた状態で載置状態が安定し、載置状態で操作具のスイッチ操作を行う場合にもガタツクことが少なく操作が容易である。
【００１４】
〔構成〕
請求項４に係る本願発明の特徴構成は、前記運転操縦パネル部が前記運転座席側に向けて下向きに傾斜している点にあり、その作用効果は次の通りである。
【００１５】
〔作用効果〕
操作具を取り付けている運転操縦パネル部自体も運転座席側に向かって下向きに傾斜しているので、操作具が平面状態ではなく、少し操縦者側に向かって起立させられた状態となるので、操縦者は正面から目視しやすくなっている。
【図面の簡単な説明】
【００１６】
【図１】コンバインの全体側面図である。
【図２】コンバインの全体平面図である。
【図３】刈取り部と運転操縦部とが横開き状態に切り換わった状態を示す全体平面図である。
【図４】前方運転操縦パネル部及び側方運転操縦パネル部を示す平面図である。
【図５】前方運転操縦パネル部及び側方運転操縦パネル部を示す斜視図である。
【図６】前方運転操縦パネル部を示す後面図である。
【図７】前方運転操縦パネル部を示す側面図である。
【図８】図４におけるＶＩＩＩ―ＶＩＩＩ線断面図である。
【図９】図４におけるＩＸ―ＩＸ線断面図である。
【図１０】図４におけるＸ―Ｘ線断面図である。
【図１１】図４におけるＸＩ―ＸＩ線断面図である。
【図１２】図４におけるＸＩＩ―ＸＩＩ線断面図である。
【図１３】側方運転操縦パネル部を示す左側面図である。
【発明を実施するための形態】
【００１７】
作業車としてのコンバインは、図１及び図２に示すように、クローラ走行装置１を有した機体２と、この機体２の前部に連結された刈取り部１０と、機体２の後部に機体横方向に並べて搭載された脱穀装置３と穀粒タンク４を備えている。
【００１８】
このコンバインは、稲，麦などの穀粒を収穫するものである。すなわち、刈取り部１０は、デバイダー１２で分草された植立穀稈を引き起こす引起装置１３と、引起穀稈の株元部分を切断する切断装置１５と、切断装置１５で切断された穀稈を縦姿勢で搬送する縦搬送装置１６とを装備して構成してある。
【００１９】
刈取り部１０は、機体２の前左端に支持フレーム１１を立設し、機体２の前右端に支持フレーム（図示せず）を立設し、両支持フレーム１１の上端に渡って横向きパイプフレーム１８を架設し、その横向きパイプフレーム１８の右支持フレーム近傍から前方下方に向けて主パイプフレーム１４を延出して構成してある。主パイプフレーム１４の前端に、デバイダー１２、引起装置１３、切断装置１５、縦搬送装置１６とを支持して、刈取り部１０は、機体２に対して横向きパイプフレーム１８の横向き軸芯周りで上下揺動自在に構成してある。
【００２０】
また、刈取り部１０は、デバイダー１２、引起装置１３、切断装置１５、縦搬送装置１６を主パイプフレーム１４に支持して、機体２の前左端に立設した支持フレーム１１の縦向き軸芯Ｙを中心にして、横向きパイプフレーム１８と主パイプフレーム１４とを一体で、図２に示すように、運転操縦部８の横側方に位置する作業姿勢と、図３に示すように、運転操縦部８とは離間するように、機体横側方の他方側に揺動開放されて、非作業姿勢に切り換わる。
【００２１】
脱穀装置３は、縦搬送装置１６によって横倒れ搬送される穀稈を脱穀フィードチェーン（図示せず）によって挟持して機体後方向きに搬送しながら刈取り穀稈の穂先側を扱室(図示せず)に供給し、その穂先側を脱穀処理する。
【００２２】
穀粒タンク４は、脱穀装置３から穀粒送出装置２２によって搬送される脱穀粒を回収して貯留する。この穀粒タンク４は、タンク内の底部に位置する排出スクリュー５と、穀粒タンク４の後部に位置する縦スクリューコンベヤ６と、この縦スクリューコンベヤ６の上端部に連結した横スクリューコンベヤ７とによってタンク内の脱穀粒を排出する。横スクリューコンベヤ７は、縦スクリューコンベヤ６に対して旋回および起伏操作できる。
以上、排出スクリュー５、縦スクリューコンベア６、横スクリューコンベア７で、穀粒タンク４に溜まった穀粒を機外に搬出する穀粒搬出装置Ｂを構成する。
【００２３】
機体２は、クローラ走行装置１と、穀粒タンク４の前方近くに位置したエンジンボンネット２１を有した原動部２０と、エンジンボンネット２１の上方に位置した運転座席９を有した運転操縦部８とを備えている。
【００２４】
図１〜３に示すように、運転操縦部８は、運転座席９を備える他、運転座席９の前方に配置した前方運転操縦パネル部１９と、運転座席９の乗降口側とは反対側の横側方に配置した側方運転操縦パネル部２６とを備えている。前方運転操縦パネル部１９は、機体の操向操作と刈取り部１０の昇降操作とを行う昇降操向操作レバー１７と、エンジン２８に関する稼動時間などの情報を示す表示パネル部分６２と、キースイッチ２３と、ホーンスイッチ２４と、表示パネル部分６２での表示内容を切換える表示切換スイッチ３６と、制御用のスイッチ盤６４とを備えている。側方運転操縦パネル部２６は、静油圧式無段変速装置（図示せず）を操作する主変速レバー４０と、副変速レバー２５と、刈取・脱穀クラッチレバー６３と、アクセルレバー２９と、制御用のスイッチ盤３０と、穀粒搬出装置Ｂの作動を制御する着脱・リモコン式の操作具３４とを備えている。
【００２５】
原動部２０は、エンジンボンネット２１を備える他、このエンジンボンネット２１の機体横外側端部の内部に配置したエンジン冷却ラジエータ２７と、エンジンボンネット２１の内部のエンジン冷却ラジエータ２７よりも機体の横方向での内側に配置したエンジン２８とを備えている。
【００２６】
図２及び図３に示すように、エンジンボンネット２１の左後側の外部で機体の左右中央側に配置され機体２から立設された機体上下向き姿勢の機体側支柱３５を配置し、エンジンボンネット２１等を含む運転操縦部８は、機体側支柱３５が有する機体上下向き軸芯Ｘまわりで回動自在に支持されている。
【００２７】
つまり、運転操縦部８は、図２及び図３に示す如く、運転座席９の左側後方に立設された機体側支柱３５の機体上下向き軸芯Ｘ回りで機体横側方に向けて回動切換え自在になっている。運転操縦部８は機体上下向き軸芯Ｘのまわりで回動操作されることにより、図２に示すように、穀粒タンク４の前方側に位置してエンジン２８を覆った作業姿勢と、図３に示すように、機体左右横側方に張出してエンジン２８を開放した非作業姿勢とに切り換わる。
【００２８】
次に、刈取り部１０と運転操縦部８とを連係して、刈取り部１０と運転操縦部８とを、作業姿勢と非作業姿勢に切換える連係機構Ａを備えている。図３に示すように、連係機構Ａは、伸縮自在なロッド構造を採っており、ロッドケース３１とピストンロッド３２と、そのロッドケース３１とピストンロッド３２とに渡って架設される駆動手段３３とで構成される。
【００２９】
前方運転操縦パネル部１９の構成について詳述する。図４〜図７に示すように、横長の樹脂製本体部１９Ａの左右中心部に、表示パネル部分６２を配置し、その表示パネル部分６２の右側に右側操作パネル部分（操作パネル部分に相当）６５と、表示パネル部分６２を挟んで反対側に左側操作パネル部分（反対側操作パネル部分に相当）６７が配置してある。表示パネル部分６２は、左右中央部部分のメインメータ部分６２Ａと左右のサイドメータ部分６２Ｂ、６２Ｃとでなる。メインメータ部分６２Ａには主として作業速度計、ＬＥＤ製の負荷メータ、マルチビジョン部分が設けてあり、このマルチビジョン部分で、アワメータ表示、脱穀装置のシーブケースでの負荷表示、穀粒タンク４内での貯留量表示、水温計等を切換表示可能である。
【００３０】
樹脂製本体部１９Ａは、上側ケース部分１９Ｆと下側ケース部分１９Ｇとをネジで着脱自在に構成してある。上側ケース部分１９Ｆは表示パネル部分６２等を備える機能部品として構成されており、下側ケース部分１９Ｇは主としてカバーとしての機能を果たすものに構成されている。
【００３１】
左サイドメータ部分６２Ｂには、副変速装置の高低速状態を表示する下方表示部分と上方側のエンジン回転計とが備えられている。右サイドメータ部分６２Ｃには、刈取変速装置の高低速状態を表示する下方表示部分と上方側の燃料計とが備えられている。
表示パネル部分６２には、メインメータ部分６２Ａと左右のサイドメータ部分６２Ｂ、６２Ｃを囲む幅広の枠部分６２Ｄが設けてある。
【００３２】
図４、図６及び図７に示すように、表示パネル部分６２の表示パネル自体を取り付ける上面（表示面）１９ａは、前方運転操縦パネル部１９の左右に位置する操作パネル部分６５、６７の下段取付面１９Ｂより上方に突出する状態にある。
これによって、表示パネル部分６２の表示面が浮き出る状態となり、視認し易くなっている。
【００３３】
しかも、図６に示すように、表示パネル部分６２の底面１９ｃも、左の操作パネル部分６７の底面１９ｅ及び右の操作パネル部分６５の底面１９ｄより上方に凹入する状態にあり、底面１９ｄ、１９ｅより上方に十分なスペースを確保すべく構成してある。
これによって、運転操縦者が十分に膝をそのスペース内に差し入れることができ、膝を曲げた窮屈な状態で操縦することがない。
【００３４】
図４〜図６、図８に示すように、後記する中段載置面１９Ｃ及び右側操作パネル部分６５には、ホーンスイッチ２４とキースイッチ２３とが前後に隣接する状態で配置してあり、それらのスイッチ２４、２３のさらに横外側方側に昇降操向操作レバー１７が配置してある。
ホーンスイッチ２４はキースイッチ２３より後方（手前側）に配置してあり、かつ、キースイッチ２３と昇降操向操作レバー１７が取付けてある下段取付面１９Ｂより上方に位置し、表示パネル部分６２の表示上面より下方に位置する中段載置面１９Ｃに取付けてある。上記のように、作業走行中に操作する機会の多いホーンスイッチ２４を運転操縦者に採って操作しやすい手前側で少し上方側に配置してある。
【００３５】
右側操作パネル部分６５に昇降操向操作レバー１７を取り付ける装着面１９Ｄを形成してあり、この装着面１９Ｄは下段取付面１９Ｂより上方で中段載置面１９Ｃより下方に位置しており、左右中央側に向かって下向きに傾斜する状態に設けて、握り部１７Ｂを左右中心側に位置するように構成してある。
昇降操向操作レバー１７の基端部は左右中央側から離れる位置にありながら、昇降操向操作レバー１７の握り部１７Ｂを左右中央側に近接させることができ、操作が容易になる。
【００３６】
右側操作パネル部分６５における昇降操向操作レバー１７より後方（手前）には、アームレスト３７が配置してある。アームレスト３７は、右側操作パネル部分６５の上面としての下段取付面１９Ｂより立ち上げた上下向き姿勢の縦向き部分３７Ａと縦向き部分３７Ａより横方向に片持ち状に延出した腕置き部分３７Ｂとで構成してある。
腕置き部分３７Ｂは、表示パネル部分６２に向けて片持ち状に延出してあり、その腕置き部分３７Ｂの先端下方にホーンスイッチ２４が位置している。
運転操縦者は、アームレスト３７に肘部分を置いて、昇降操向操作レバー１７の握り部１７Ｂを握って、操作することが可能である。
【００３７】
図４〜図６、図１０に示すように、左側操作パネル部分６７に近接して後記する反対側中段載置面１９Ｅを設け、その反対側中段載置面１９Ｅに表示切換スイッチ３６が配置してあり、表示切換スイッチ３６の後方でさらに横側端に至る左側操作パネル部分６７に、制御スイッチ群を装備する制御スイッチ盤６４が配置してある。
制御スイッチ群と表示切換スイッチ３６とは操作機会として同等のものであると考えられるので、制御スイッチ盤６４より前方で遠い位置に配置してある表示切換スイッチ３６を、制御スイッチ盤６４が取付けてある下段取付面（左側操作パネル部分６７の上面に相当）１９Ｂより上方に配置し、かつ、表示パネル部分６２の表示面（上面に相当）より下方に位置する反対側中段載置面１９Ｅに取り付けてある。
【００３８】
表示切換スイッチ３６は、表示パネル部分６２のメインメータ部分６２Ａにおける、マルチビジョン部分の表示態様を切換えるものである。また、制御スイッチ盤６４には、オートアクセルスイッチ、左右クローラ走行装置１を独立して昇降作動させてローリング作動させるローリング作動スイッチ等が設けてある。
昇降操向操作レバー１７の握り部１７Ｂには、左右クローラ走行装置１をローリング作動、及び、ピッチング作動させる複数個のスイッチが配置してあるとともに、昇降操向操作レバー１７を前後に揺動操作すると、刈取り部１０の下降上昇作動を行わせ、左右に揺動操作するとコンバインを左右へ旋回させる制御を行わせることができる。
【００３９】
図４〜図１０に示すように、前方運転操縦パネル部１９の前端部分で、表示パネル部分６２の枠部分６２Ｄより前方側に、その枠部分６２Ｄの前端面に沿った立上げ壁部分１９ｂが形成してあり、立上げ壁部分１９ｂによって前方運転操縦パネル部１９の補強等を図る構成を採っている。
【００４０】
側方運転操縦パネル部２６について説明する。図４〜図６に示すように、側方運転操縦パネル部２６は、前方運転操縦パネル部１９の左側操作パネル部分１９Ｂの後方に連続する状態で配置してあり、前端部に主変速レバー４０と副変速レバー２５とを左右に並設して備え、主変速レバー４０の後方に制御用のスイッチ盤３０、副変速レバー２５の後方に刈取・脱穀クラッチレバー６３とアクセルレバー２９とを並設して備え、刈取・脱穀クラッチレバー６３とアクセルレバー２９との後方に、穀粒搬出装置Ｂの作動を制御する着脱式でかつリモコン式の操作具３４とを備えている。
尚、主変速レバー４０には、刈取り部１０の刈取り速度を変速するワンタッチボタン、或いは、副変速装置を変速するワンタッチボタン、及び、扱き深さ調節用のスイッチが握り部に併設されている。
【００４１】
側方運転操縦パネル部２６は、前後に長いパネルであり、前方運転操縦パネル部１９の左端に自身の左端が面一となる状態で配置されている。側方運転操縦パネル部２６は、その左端部に機体フレーム（図示せず）に取付固定されるフランジ部２６Ａと、フランジ部２６Ａに隣接して主変速レバー４０と制御用のスイッチ盤３０とを装備するパネル表面部２６Ｂと、パネル表面部２６Ｂに隣接して副変速レバー２５、刈取・脱穀クラッチレバー６３、アクセルレバー２９を設置する挿通孔等や、リモコン式操作具３４の取付用の凹入載置座２６Ｅ等を装備する内側パネル部２６Ｃとが形成してある。
【００４２】
図１０に示すように、パネル表面部２６Ｂは、左右方向において運転座席９側に向けてやや下向きに緩く傾斜している一方、スイッチ盤用の取付孔部分２６ｂを囲む周囲部分２６ｃにおいては、前後方向において略一定の水平状態を維持している。図５、図６及び図１１に示すように、パネル表面部２６Ｂは、主変速レバー４０を貫通させている孔部分２６ａを囲む周囲部分２６ｄにおいて、前端側程上方に位置するように、前上がり傾斜面に構成してある。
【００４３】
図５、図１１及び図１２に示すように、内側パネル部２６Ｃもパネル表面部２６Ｂと同様に運転座席９側に向けて下向きに傾斜した状態で片持ち状に延出してあり、パネル表面部２６Ｂより傾斜度が大きくなっている。
内側パネル部２６Ｃには、前方に副変速レバー２５用の抜き孔２６ｍと、その後方に刈取・脱穀クラッチレバー６３用の挿通孔２６ｇと、刈取・脱穀クラッチレバー６３の横側方に配置されるアクセルレバー２９用の挿通孔２６ｈとが形成されている。
内側パネル部２６Ｃにおいて、副変速レバー２５用の抜き孔２６ｍを囲む周囲部分２６ｊの左右方向での傾斜は、アクセルレバー２９用の挿通孔２６ｈを囲む周囲部分２６ｋの傾斜に比べって緩やかなものに設定してあり、パネル表面部２６Ｂにおける主変速レバー４０を設置する周囲部分２６ｄとの間に大きな段差２６Ｄが形成されている。
【００４４】
穀粒搬出装置Ｂに対するリモコン式の操作具３４の取付構造について説明する。リモコン式の操作具３４は有線でコンバイン本体の制御装置（図示せず）と繋がっており、穀粒搬出装置Ｂの作動状態を目視しながら、操作を行うことができる。
図５に示すように、リモコン式の操作具３４には、横スクリューコンベア７を縦スクリューコンベア６の縦向き軸芯Ｚ周りで自動的に旋回作動及び上下作動をさせてコンバイン内の所定位置に収納させる自動旋回スイッチ部３４Ａと、各スクリューコンベア５、６、７の駆動を司るクラッチ操作用スイッチ部３４Ｂと、前記した横スクリューコンベア７を縦スクリューコンベア６の縦向き軸芯周りで旋回作動及び上下作動させることを指令する人為操作スイッチ部３４Ｃとが装備されている。
【００４５】
図４及び図５に示すように、内側パネル部２６Ｃにおける後端部分に操作具３４を載置する凹入載置座２６Ｅを形成してあり、凹入載置座２６Ｅは、前後方向への長さが長く横幅の短いものではあるが、横幅方向での中心を結ぶ中心線は、機体前後方向に対して後端側程運転座席９に近づく傾斜状態に設定してある。
【００４６】
このように、操作具３４が凹入載置座２６Ｅに取付けられた状態で、機体前後方向に対して傾斜状態に設定してあるので、自動旋回スイッチ部３４Ａに設けてあるスイッチ群、クラッチ操作用スイッチ部３４Ｂのスイッチ群、人為操作スイッチ部３４Ｃのスイッチ群が操作具３４に沿って機体前後方向に対して傾斜状態に整列され、操縦者は顔を横に向けて目にする場合に、正面から視認することができ、操作が容易である。
【００４７】
また、操作具３４を取り付けている内側パネル部２６Ｃが運転座席側に下向き傾斜状態で設けてあるので、凹入載置座２６Ｅに取付けられた操作具３４が水平状態ではなく、少し操縦者側に向かって起立させられた状態となるので、操縦者は正面から目視しやすくなっている。
特に、スイッチに付されている符号等を正面から視認することができ、スイッチの機能を把握した操作が容易に行える。
【００４８】
図４〜図６に示すように、凹入載置座２６Ｅと内側パネル部２６Ｃの運転座席側横側端との間には、凹入載置座２６Ｅを取り囲む周囲部分より上方に高く突出した突出部２６ｎが設けてあり、アクセルレバー２９を掴みに行く手が操作具３４に誤って触れないように、かつ、内側パネル部２６Ｃの後端部に凹入載置座２６Ｅを設けたことに対する機械的強度の低下を抑制する機能を担っている。
尚、突出部２６ｎには、凹入載置座２６Ｅに載置された操作具３４の後端部に対応して下向きの凹入切欠き部２６ｑが設けてあり、操作具３４を凹入載置座２６Ｅから取り出す際に、この凹入切欠き部２６ｑから手指を差込み、操作具３４を掴み易くする構成を採っている。
【００４９】
操作具３４は、前後方向に長い板状を呈しており、凹入載置座２６Ｅに形成した凹入部に嵌まり込む状態で沈み込み装着されて、安定した載置状態となっている。載置された状態で操作具３４は傾斜姿勢で載置されているので、運転操縦者が操作具３４を凹入載置座２６Ｅに対して着脱操作する際に、体を大きく左側に捻る必要がなく、操作が容易に行える。
【００５０】
また、操作具３４が凹入載置座２６Ｅに取り付けられた状態で、スイッチ群の整列状態が左右中央の中心線Ｐに沿った状態となるので、運転操縦者が視認しやすくかつ操作も容易であり、穀粒搬出装置Ｂにおける作動状態を操作具３４で確認するのが容易になる。
操作具３４は、凹入載置座２６Ｅに嵌まり込み装着された状態で、操作具３４の表面が凹入載置座２６Ｅを囲む周囲の表面と面一状態になるように、凹入載置座２６Ｅの沈み込み深さが操作具３４の厚みに合わせたものとなっている。
したがって、操作具３４が突出していないので、意図しない手指で操作具３４を引掛け凹入載置座２６Ｅから外れるといった事態を回避でき、操作具３４の載置状態を安定したものにできる。
【００５１】
凹入載置座２６Ｅの後端部２６ｉは外方空間に開放する開口となっている。
操作具３４の後端面には有線通信用のコネクタ３４Ｄが設けてあり、このコネクタ３４Ｄが凹入載置座２６Ｅの後端部２６ｉに位置して、前記開口を通して通信線を外部に取り出すべく構成してある。
このように通信線を取り出す際に、操作具３４の載置状態が斜めに設置してあるので、後方に立設される壁パネル等との干渉を回避して、通信線の取り出しも容易である。
【００５２】
図１２及び図１３に示すように、フランジ部２６Ａの下方に上下向きの縦壁部２６Ｆが設けてあり、縦壁部２６Ｆにおける主変速レバー４０を載置する前端側部分に、内部を視認することができる覗き窓２６ｅを設けてあり、主変速レバー４０等の内部状況を把握できる。そして、この覗き窓２６ｅには、通常作業時には埃の侵入等を防止すべく蓋体２６ｆが設けてある。
【００５３】
この覗き窓２６ｅを使用して内部を点検するのは、図３に示すように、刈取り部１０を左横側方に回動退避させて行うものであり、主変速レバー４０の静油圧式無段変速装置（図示せず）との連係状態を確認する為に行うものである。刈取り部１０を退避させると、側方運転操縦パネル部２６の縦壁部２６Ｆの左横側方に大きなスペースができ、運転操縦者が覗き窓２６ｅから内部の点検を行うことができる。また、運転操縦部８を同時に退避姿勢に切換えると更に、大きなスペースを確保して、点検作業を行うことができる。
【００５４】
図４及び図５に示すように、昇降操向操作レバー１７には十字揺動を許容する蛇腹式カバー体１７Ａが装着してあり、主変速レバー４０の作動を許容する孔部分２６ａ、副変速レバー２５の作動を許容する抜き孔２６ｍ、刈取・脱穀クラッチレバー６３用の挿通孔２６ｇ、アクセルレバー２９用の挿通孔２６ｈとに対して、それらの作動を許容しながら塵埃等の侵入を阻止するレバーブラインダー２６ｓが設けてある。
【００５５】
〔別実施の形態〕
（１）運転操縦パネル部としては、側方運転操縦パネル部２６だけでよく、前方運転操縦パネル部１９はなくてもよい。
（２）側方運転操縦パネル部２６においては、着脱自在に操作具３４を設置するだけでよい。その他の副変速レバー２５等は前方の運転操縦パネル部１９に集約して設けてもよい。
（３）実施形態においては、長方形状の操作具３４を後端側ほど運転座席９に近接する方向に傾斜する状態で設けているが、操作具３４自体は運転座席９に対して平行に配置しながら、操作具３４に設けてあるスイッチ群の整列方向を後端がわに位置するものほど、運転座席９に近接するように配列してもよい。
（４）側方運転操縦パネル部２６としては、運転座席９に向けて下り傾斜の勾配が異なるパネル表面部２６Ｂと内側パネル部２６Ｃとを設けてあるが、両者の下り傾斜を同一のものにしてもよく、また、下り傾斜そのものをなくして、パネル面を傾斜のない平面状に形成してもよい。
（５）操作具３４の取付位置としては、パネル表示部２６Ｂであってもよい。
（６）操作具３４を取り付けるために凹入載置座２６Ｅを形成しているが、平坦な載置面上から縦壁を立設して、その縦壁で操作具３４を保持する形態を採ってもよい。
【産業上の利用可能性】
【００５６】
本発明は、コンバインだけではなく、トラクタ、芝刈り機等にも適用可能である。
【符号の説明】
【００５７】
９          運転座席
２６        側方運転操縦パネル部（運転操縦パネル部）
２６Ｅ      凹入載置部（載置部）
３４        操作具
Ｂ          穀粒搬出装置
【図１】
2010213605.tif 000003
【図２】
2010213605.tif 000004
【図３】
2010213605.tif 000005
【図４】
2010213605.tif 000006
【図５】
2010213605.tif 000007
【図６】
2010213605.tif 000008
【図７】
2010213605.tif 000009
【図８】
2010213605.tif 000010
【図９】
2010213605.tif 000011
【図１０】
2010213605.tif 000012
【図１１】
2010213605.tif 000013
【図１２】
2010213605.tif 000014
【図１３】
2010213605.tif 000015